【事件の表示】
　平成１１年特許願第２６１３３９号「パチンコ機」拒絶査定不服審判事件〔平成１３年　３月２７日出願公開、特開２００１−　７９１６３〕について、次のとおり審決する。
【結　論】
　本件審判の請求は、成り立たない。
【理　由】
１．手続の経緯 
　本願は、平成１１年９月１６日の出願であって、平成１３年１１月１９日付の拒絶理由通知に対し平成１４年１月２９日付で手続補正がなされ、平成１４年６月２４日付で拒絶査定がなされ、平成１４年８月９日付で拒絶査定に対する審判請求がなされると共に平成１４年９月９日付で手続補正がなされたものである。 
　　　　　　　　　　　　　　　 　　　　
２．平成１４年９月９日付の手続補正（以下、「本件補正」という。）についての補正却下の決定 
［補正却下の決定の結論］ 
　　平成１４年９月９日付の手続補正を却下する。 
［理由］ 
（１）本件補正の内容 
　本件補正により、特許請求の範囲の請求項１は、 
　　　　　　　　　　　　　　　　　 
「　盤面上のランプの点灯を行うため主基板を備え、複数種類のパチンコ機毎に異なる盤面機構部と、
　賞球の払い出しを行うための賞球基板を備え、複数種類のパチンコ機に共通な枠機構部と、
　遊技もしくは賞球の払い出しに関する内部情報を記憶することができる記憶手段とを備えるパチンコ機において、
　複数種類のパチンコ機に共通して使用可能な動作用電圧及びバックアップ電圧を供給するための電源基板を前記枠機構部側に設け、更に、
　前記動作用電圧が所定値以下に低下した場合に、前記記憶手段に前記バックアップ電圧を供給して、前記記憶手段に記憶されている前記内部情報を保存し、前記動作用電圧が所定値以上に復帰した場合、前記記憶手段に記憶されている内部情報を呼び出して、前記動作用電圧が所定値以下に低下する以前の状態に戻すことができる制御手段を備え、
　前記記憶手段を配設した賞球基板のコネクタと、前記電源基板のコネクタとを、接続・離脱可能に構成し、電源基板のコネクタと賞球基板のコネクタとを離脱することにより、記憶手段に記憶されている内部情報を消去することを特徴とするパチンコ機。」
と補正された。 
　　　　　　　　　　　　 
　前記補正は、補正前（平成１４年１月２９日付で手続補正により補正された特許請求の範囲）の請求項１に記載された発明を特定するために必要な事項である「パチンコ機」について「前記記憶手段を配設した賞球基板のコネクタと、前記電源基板のコネクタとを、接続・離脱可能に構成し、電源基板のコネクタと賞球基板のコネクタとを離脱することにより、記憶手段に記憶されている内部情報を消去する」と限定するものであるから、本件補正は、特許法第１７条の２第４項第２号の特許請求の範囲の減縮を目的とするものに該当する。 
　　　　　　　 
　そこで、本件補正後の請求項１に記載された発明（以下、「本願補正発明」という。）が特許出願の際独立して特許を受けることができるものであるのか（平成１５年改正前特許法第１７条の２第５項において準用する同法第１２６条第４項の規定に適合するか）について以下に検討する。 
　　　　　　　　　　　 
　　　　　　　　　　　　 
（２）引用例 
原査定の拒絶の理由の理由Ａ
で引用された特開昭６０−５８１８６号公報（以下、「引用例」という。）には、図面とともに以下の記載がある。 
　　　　　　　　　　　　 
（記載事項ａ） 
「（１）賞球放出機と、賞球放出情報を保持するメモリと、該メモリの賞球データに基づいて該賞球放出機を制御する制御手段と、を有する遊戯機において、前記メモリは停電時にその内容が保持可能なメモリであり、停電を検知する停電検知手段と、電源投入時に保持された前記メモリの記憶内容に基づいて動作を再開するか、新に動作を開始するかを定める継続／クリアスイッチと、を具備し、前記制御手段は、前記停電検知手段の停電検知に基づいて前記メモリに制御データを保存するように制御するものであることを特徴とする遊戯機の停電処理装置。
　（２）前記継続／クリアスイッチは、各遊戯機毎に、及び複数の遊戯機に共通に設けられ、それらの設定が異なる場合に各遊戯機毎の設定を優先させるように制御するものであることを特徴とする特許請求の範囲第１項記載の遊戯機の停電処理装置。
　（３）前記メモリは停電時にその内容を保持する保持手段を有するものであることを特徴とする特許請求の範囲第１項記載の遊戯機の停電処理装置。」（【特許請求の範囲】） 　　　　　　　　　　　　 
　　　　　　　　　　　　　　　 
（記載事項ｂ）
「  本発明は電子的に制御されるパチンコ台等の遊戯機の停電処理装置に関するものである。」（第１頁右下欄第１１〜１２行）
　　　　　　　　　　　　　　　　　　　　　
（記載事項ｃ）
  「しかしこのような遊戯機を電子的に制御する際には停電時の対策が問題となる。停電時にも入賞球データ等を電池等のバックアップ手段を用いて記憶させておくことは容易であるが、停電前に発射された球が停電後に入賞した場合や、停電時に残っている入賞球に対して停電復旧後に賞球を放出すべきかどうかは停電時間により異なる。即ち遊戯客が停電後もその遊戯台に残っていれば賞球を放出しなければならず、遊戯客が遊戯を停止してその台を離れた場合には賞球を放出する必要がない。従って制御部でこれらを一律に判断すれば不合理な結果を招くことがあった。例えば停電復旧後に未放出分を放出するようにしておけば、新しい客が停電復旧と共に遊戯を開始すると入賞球がないにもかかわらず前遊戯客の未放出分が放出されることとなり、又新遊戯客がいない台では係員が放出された球を回収しなければならず停電復旧後の後処理に非常な手間がかかるという問題点があつた。又停電の復旧時に電子制御部は日々の営業開始時の電源投入であるか、又は停電復旧であるのかを判断することは困難であった。」（第１頁右下欄第１８行〜第２頁左上欄第１８行）
　　　　　　　　　　　　　　　　　　　　　　　
（記載事項ｄ）
「メモリは停電時にその内容が保持可能なメモリであり、停電を検知する停電検知手段と、電源投入時に保持されたメモリの記憶内容に基づいて動作を再開するか、新に動作を開始するかを定める継続／クリアスイッチ」（第２頁右上欄第１８行〜左下欄第２行）
　　　　　　　　　　　　　　　　　　　　　　
（記載事項ｅ）
「さて本発明のパチンコ台の表面の、例えばガラス面の内側にはクリアスイツチ７、継続スイツチ８及び打止めクリアスイツチ９が設けられている。」（第２頁右下欄第６〜９行）
　　　　　　　　　　　　　　　　　　
（記載事項ｆ）
「このような特徴を有する本発明によれば、停電時には自動的に動作を停止すると共にその制御データがメモリに保持されている。従って動作を再開する場合に継続の設定を行えば停電前の状態でそのまま処理を継続することが可能であり、又クリア設定を行えば新に動作を開始することが可能となる。従って停電時の状況や停電時間に応じて適宜設定を変えることによって適切な動作再開をすることが可能である。それ故動作再開時に係員が放出された賞球を回収することなく、又停電の復旧を待ち受けて遊戯を開始する遊戯客に迷惑を及ぼすこともなくなるという効果が得られる。」（第２頁左下欄第６〜１７行）
　　　　　　　　　　　　　　　　　　　　
（記載事項ｇ）
「第３図は制御部１７の電気的構成を示すブロツク図である。本図においてパチンコ台表面のクリアスイッチ７、継続スイツチ８及び打止めクリアスイツチ９と複数のパチンコ台、例えばパチンコ店の全ての台あるいは複数の台から構成される島単位に設けられるオールクリアスイツチ２０とオール継続スイツチ２１の出力が入力バツフア２２に与えられ、波形整形及び信号の一時保持が成される。又パチンコ台の裏面の入賞球検知センサ１５と放出した賞球を確認する賞球確認センサ１９の出力が同じく入力バツフア２２によつて波形整形され、それらの各出力は入力信号Ｉ１〜Ｉ７として中央演算装置（以下CPUという）２３に伝えられる。CPU２３は内部にシステムプログラムを記憶するリードオンリメモリ（以下ROMという）２３ａとデータを一時保持するランダムアクセスメモリ（以下RAMという）２３ｂを有するものとする。RAM２３ｂには賞球の放出時に立てられ、確認によつてリセツトされる賞球放出フラグＦ１と賞球の放出が確認されたときに立てられる確認フラグＦ２及び停電を検知したときに立てられる停電検知フラグＦ３、更に入賞球数を計数して放出すべき賞球を保持する賞球放出レジスタＭ１が設けられている。」（第３頁左上欄第７〜右上欄第１０行）
　　　　　　　　　　　　　　　　　　　　　　
（記載事項ｈ）
「CPU２３には商用交流入力を直流電源に変換する電源部２４と電源切換部２５が接続されている。CPU２３はROM２３ａの演算処理手順に従ってトランジスタ２６とリレー２７を介して打球発射ハンドル１に連結される打球発射モータ２８を駆動すると共にトランジスタ２９を介して賞球放出装置１３を駆動するものである。
  次に第４図は電源部２４及び電源切換部２５を更に詳細に示すブロツク図である。本図において商用交流入力はトランス３１によって二つの低電圧に変換され、一方の電圧源には電源部２４の停電検知回路３２と電源回路３３が接続され、通常はこの電源回路３３によりCPU２３及び他の回路部に電源が供給されている。又トランス３１の他方の低電圧源には電源切換部２５が接続される。即ち低電圧源には整流素子３４を介して充電式電池３５と単安定マルチバイブレータ３６が並列に接続されている。充電式電池３５は整流器３４によって常に充電されており、又単安定マルチバイブレータ３６はCPU２３からの停電信号に基づいて所定時間、例えば10秒間の出力信号を与えるものである。単安定マルチバイブレータ３６の出力は更に電源切換用トランジスタ３７に与えられる。整流素子３４にはこのトランジスタ３７によって駆動される電源供給用トランジスタ３８が接続されている。トランジスタ３８は停電直後に充電式電池３５の電圧出力をダイオード３９，４０を介してCPU２３と他の回路部に伝えるものである。又ダイオード４１，４２は停電時に充電式電池３５よりCPU２３のRAM２３ｂをバックアップするために整流出力端とCPU２３の電源端子間に接続されている。
  　次にこの停電処理装置を含むパチンコ台の動作について第５図及び第６図のフローチヤートを参照しつつ説明する。電源が投入されるとまずステツプ50においてトランジスタ２６をオフとし、リレー２７を介して打球の発射を停止する。そしてステツプ51に進んでその停電が10秒以内であるかどうかを単安定マルチバイブレータ３６の出力によりチエツクする。これが10秒以内の停電でなければステツプ52に進み個別クリア信号Ｉ１又はオールクリア信号Ｉ４が出力されているかどうかをチエツクし、更にステツプ53に進み個別継続信号Ｉ２又はオール継続信号Ｉ５があるかどうかをチエツクしてステツプ51〜53のループを繰り返す。クリア信号及び継続信号はオールクリア信号Ｉ４又はオール継続信号Ｉ５よりも個別の入力信号Ｉ１，Ｉ２を優先させるようにする。そしてステツプ51において10秒以内の停電である場合、又はステツプ52において継続信号が得られた場合にはステツプ54に進んでCPU２３のスタンバイモードを解除し、所定のデータ・レジスタを呼出し、プログラムカウンタを読出すと共に、トランジスタ２６をオンとして打球発射を許可して中断の再開を行う。又ステツプ52においていずれかのクリア信号Ｉ１，Ｉ４が得られた場合にはステツプ55に進んで初期処理を行い、ステツプ56においてトランジスタ２６を駆動して打球発射を可能にする。」（第３頁右上欄第１０行〜第４頁左上欄第８行）
　　　　　　　　　　　　　　　　　　　　　　　　　　　　　　　
（記載事項ｉ）
「一方充電式電池３５よりダイオード４１，４２を介してCPU２３にのみ電源が供給され続け、そのRAM２３ｂのデータはそのまま保持される。従って賞球放出レジスタＭ１や各フラグＦ１〜Ｆ３の内容はそのまま保持されている。続いて停電が復旧した場合には第５図に示すフローチャートの動作が開始され、停電後10秒以内であればステツプ51を介してステツプ54に進みCPU２３が動作モードとなって動作が再開される。10秒以上経過した場合にも継続信号が与えられれば同様にしてCPUが初期処理を行うことなくそのまま賞球放出レジスタＭ１の内容がRAM２３ｂが保持され動作が再開される。又クリア信号が与えられれば初期処理が行われて全く新に動作が開始される。従って係員は停電時間とその台に顧客が残っているかどうかを判断して全台毎にオールクリアもしくはオール継続スイツチでいずれかの信号を与え、更に各台毎にその台の状態に応じて継続スイッチもしくはクリアスイッチを入れて調整することが可能である。」（第４頁右下欄第８行〜第５頁左上欄第７行）
　　　　　　　　　　　　　　　　　　　　　
　これらの記載、並びに、特に、 
（ア）「CPU２３は・・・賞球放出装置１３を駆動するものである。」（記載事項ｈ）という記載から、遊戯機が、「賞球の払い出しを行うための」賞球放出装置１３を備えることは明らかなこと、
（イ）遊戯機が、「主制御部」を備えていることが明らかなこと、
（ウ）「第４図は電源部２４及び電源切換部２５を更に詳細に示すブロツク図・・・において・・・通常はこの電源回路３３によりCPU２３及び他の回路部に電源が供給されている。・・・又ダイオード４１，４２は停電時に充電式電池３５によりCPU２３のRAM２３ｂをバックアップする」（記載事項ｈ）という記載から、電源部２４及び電源切換部２５が、「動作用電圧」及び「バックアップ電圧」を供給することが明らかなこと、
（エ）「第４図は電源部２４及び電源切換部２５を更に詳細に示すブロツク図・・・において商用交流入力はトランス３１によって二つの低電圧に変換され、一方の電圧源には電源部２４の停電検知回路３２と電源回路３３が接続され、通常はこの電源回路３３によりCPU２３及び他の回路部に電源が供給されている。」（記載事項ｈ）という記載から、電源部２４及び電源切換部２５が供給する動作用電圧が、停電時に「所定値以下に低下」すること、及び、停電が復旧した場合に「所定値以上に復帰」することが明らかなこと、
（オ）「メモリは停電時にその内容が保持可能なメモリであり、停電を検知する停電検知手段と、電源投入時に保持されたメモリの記憶内容に基づいて動作を再開するか、新に動作を開始するかを定める継続／クリアスイッチ」（記載事項ｄ）という記載、及び、「継続信号が与えられれば同様にしてCPUが初期処理を行うことなくそのまま賞球放出レジスタＭ１の内容がRAM２３ｂが保持され動作が再開される。」（記載事項ｉ）という記載から、遊戯機が、動作用電圧が所定値以上に復帰した場合、前記RAM２３ｂに保持されている放出すべき賞球を「呼び出して」、前記動作用電圧が所定値以下に低下する「以前の状態に戻すことができる」CPU２３を備えることが明らかなこと、
（カ）「メモリは停電時にその内容が保持可能なメモリであり、停電を検知する停電検知手段と、電源投入時に保持されたメモリの記憶内容に基づいて動作を再開するか、新に動作を開始するかを定める継続／クリアスイッチ」（記載事項ｄ）という記載、「クリアスイツチ７」（記載事項ｅ）という記載、「継続信号が与えられれば同様にしてCPUが初期処理を行うことなくそのまま賞球放出レジスタＭ１の内容がRAM２３ｂが保持され動作が再開される。」（記載事項ｉ）という記載、及び、「ステツプ52においていずれかのクリア信号Ｉ１，Ｉ４が得られた場合にはステツプ55に進んで初期処理を行い」（記載事項ｈ）という記載から、クリアスイツチ７により、RAM２３ｂに保持されている放出すべき賞球を「消去する」ことが明らかなこと、
　　　　　　　　　　　　　　　　　　　　　　　　
を勘案すれば、引用例には、次の発明（以下、「引用発明」という。）が記載されていると認められる。
　　　　　　　　　　　　　　　　　　　　　　　　
「　主制御部と、
　賞球の払い出しを行うための賞球放出装置１３と、
　放出すべき賞球を保持することができるRAM２３ｂとを備える遊戯機において、
　動作用電圧及びバックアップ電圧を供給するための電源部２４及び電源切換部２５を設け、更に、
　前記動作用電圧が所定値以下に低下した場合に、前記RAM２３ｂに前記バックアップ電圧を供給して、前記RAM２３ｂに保持されている前記放出すべき賞球を保持し、前記動作用電圧が所定値以上に復帰した場合、前記RAM２３ｂに保持されている放出すべき賞球を呼び出して、前記動作用電圧が所定値以下に低下する以前の状態に戻すことができるCPU２３を備え、
　クリアスイツチ７により、RAM２３ｂに保持されている放出すべき賞球を消去する遊戯機。」
　　　　　　　　　　　　　　　　
（３）対比 
　そこで、本願補正発明と引用発明とを比較すると、引用発明の、ａ「放出すべき賞球」、ｂ「保持」、ｃ「RAM２３ｂ」、ｄ「遊戯機」、ｅ「CPU２３」は、本願補正発明の、ａ「賞球の払い出しに関する内部情報」又は「内部情報」、ｂ「記憶」又は「保存」、ｃ「記憶手段」、ｄ「パチンコ機」、ｅ「制御手段」に相当する。
　引用発明の、ｆ「主制御部」、ｇ「賞球放出装置１３」、ｈ「電源部２４及び電源切換部２５」、ｉ「クリアスイツチ７」と、本願補正発明の、ｆ「主基板」、ｇ「賞球基板」、ｈ「電源基板」、ｉ「記憶手段を配設した賞球基板のコネクタと、前記電源基板のコネクタとを、接続・離脱可能に構成し、電源基板のコネクタと賞球基板のコネクタとを離脱すること」とは、それぞれ、ｆ「主制御手段」、ｇ「賞球手段」、ｈ「電源手段」、ｉ「記憶手段を消去する手段」という点で共通している。
　　 　　　　　　　　　　　　　　　　
　よって、両者は、 
「　主制御手段と、
　賞球の払い出しを行うための賞球手段と、
　賞球の払い出しに関する内部情報を記憶することができる記憶手段とを備えるパチンコ機において、
　動作用電圧及びバックアップ電圧を供給するための電源手段を設け、更に、
　前記動作用電圧が所定値以下に低下した場合に、前記記憶手段に前記バックアップ電圧を供給して、前記記憶手段に記憶されている前記内部情報を保存し、前記動作用電圧が所定値以上に復帰した場合、前記記憶手段に記憶されている内部情報を呼び出して、前記動作用電圧が所定値以下に低下する以前の状態に戻すことができる制御手段を備え、
　記憶手段を消去する手段により、記憶手段に記憶されている内部情報を消去するパチンコ機。」
　　　　　　　　　　　　　 　　　　
である点で一致し、以下の点で相違する。 
　　　　　　　　　　　　　　　
　相違点１
　本願補正発明は、盤面上のランプの点灯を行うため主基板を備え、複数種類のパチンコ機毎に異なる盤面機構部と、賞球の払い出しを行うための賞球基板を備え、複数種類のパチンコ機に共通な枠機構部とを備えるパチンコ機において、複数種類のパチンコ機に共通して使用可能な電源基板を枠機構部側に設けたのに対して、引用発明は、そもそも、複数種類のパチンコ機に対応しておらず、盤面機構部に盤面上のランプの点灯を行うための主基板が設けられているか明らかでなく、枠機構部に賞球基板及び電源基板が設けられているかも明らかでない点。
　　　　　　　　　　　　　　　　　　　　
　相違点２
　記憶手段を消去する手段が、本願補正発明では、記憶手段を配設した賞球手段のコネクタと、前記電源手段のコネクタとを、接続・離脱可能に構成し、電源手段のコネクタと賞球手段のコネクタとを離脱することであるのに対して、引用発明では、クリアスイツチ７である点。
　　　　　　　　　　　　　　　　　　　　　　　　　
（４）判断
　相違点１について検討する。
　まず、引用発明は、パチンコ機であるから、遊技盤及び枠を備えていることは明らかである。
　そして、遊技盤を交換して機種変更をするにあたって、複数種類のパチンコ機に共通な部分である、複数種類のパチンコ機に共通して使用可能な電源手段を枠側に設けることは周知技術（以下、「周知技術Ａ」という。）（例えば、特開平１１−７６５６７号公報（特に、段落【００２０】、【００５０】、図２、図３を参照。）、特開平９−１２２３４１号公報（特に、段落【０１０９】、【０１１０】、【０１５５】）を参照。）であるし、遊技盤を交換して機種変更をするにあたって、複数種類のパチンコ機に共通な部分である賞球手段を枠側に設けることは周知技術（以下、「周知技術Ｂ」という。）（例えば、特開平１１−７６５６７号公報（特に、段落【００２０】、図２、図３を参照。）、特開平１１−１９２３６０号公報（特に、段落【００１０】、図５）を参照。）であるし、遊技盤を交換して機種変更をするにあたって、複数種類のパチンコ機毎に異なる部分である主基板を遊技盤側に設けることも周知技術（以下、「周知技術Ｃ」という。」）（例えば、特許第２８１６９９７号公報（第４頁右欄第３０−３７行）、特開平７−１６３３９号公報（特に、段落【００５９】、図２を参照。）を参照。）である。
　また、盤面上（遊戯盤上）のランプの点灯の仕方は、パチンコ機の機種が異なれば、相違することが普通であるから、複数種類のパチンコ機毎に異なる部分である主基板によってランプの点灯の制御を行うことはごく自然なことである。
　また、パチンコ機において、賞球手段として賞球基板は周知例を提示するまでもなく周知技術（以下、「周知技術Ｄ」という。）であるし、パチンコ機において、電源手段として電源基板は周知例を提示するまでもなく周知技術（以下、「周知技術Ｅ」という。）である。
　してみれば、引用発明において、遊技盤の交換による機種変更に対処するために、電源手段を前記周知技術Ａの如く枠に、賞球手段を前記周知技術Ｂの如く枠に、主制御手段を前記周知技術Ｃの如く主基板と成して遊技盤に、それぞれ設けると共に、主基板によって遊技盤上（遊技盤上）のランプの点灯を行い、枠側に設けられる複数種類のパチンコ機に共通な部分を枠機構部と称し、遊技盤に設けられる複数種類のパチンコ機毎に異なる部分を盤面機構部と称し、賞球手段として周知技術Ｄである賞球基板を、電源手段として周知技術Ｅである電源基板を採用する設計変更を加味して、相違点１に係る本願補正発明の如く構成することは、当業者が容易に想到できることである。
　　　　　　　　　　　　　　
　相違点２について検討する。
　記憶手段を消去する手段として、記憶手段に設けられると共に記憶手段へのバックアップ電力を受電するバックアップ電力受電用コネクタとバックアップ電力供給源のコネクタとを、接続・離脱可能に構成し、バックアップ電力供給源のコネクタと記憶手段のコネクタとを離脱することは周知技術（以下、「周知技術Ｆ」という。）（例えば、特開平１１−８５４８０号公報（特に、段落【０００２】、【０００７】、【００２２】を参照。）、実公平４−５１２５０号公報（特に、第２頁左欄第２３〜３１行を参照。）を参照。）であるし、記憶手段を消去する手段として、消去スイッチも周知技術（以下、「周知技術Ｇ」という。）（例えば、特開平２−３３６４１号公報、特開平１０−９６７６４号公報参照。）である。そして、賞球手段に、賞球に関するデータを記憶する記憶手段を設けることは周知技術（以下、「周知技術Ｈ」という。）（例えば、特開平１０−２９５９０２号公報（特に、段落【００１４】を参照。）、特開平１１−９００１４号公報（特に、段落【００２１】を参照。）を参照。）である。
　してみれば、引用発明において、記憶手段を消去する手段として周知技術である周知技術Ｇの消去スイッチ（クリアスイッチ７）に替えて、同じく記憶手段を消去する手段として周知技術である周知技術Ｆを採用し、その採用にあたっては、記憶手段を前記周知技術Ｈの如く賞球手段に設けると共に、バックアップ電力供給源のコネクタとして電源手段のコネクタとし、記憶手段へのバックアップ電力を受電するバックアップ電力受電用コネクタとして賞球手段のコネクタとする設計変更を加味して、相違点２に係る本願補正発明の如く構成することは、当業者が容易に想到できることである。
　　　　　　　　　　　　　　　　
（５）本願補正発明の作用効果 
　本願補正発明の奏する効果は、引用発明及び周知技術Ａ〜Ｈを適用したものから当業者が容易に予測し得るものであって、格別顕著なものではない。
　　　　　　　 　　　　　　
　よって、本願補正発明は、引用例記載の発明及び周知技術Ａ〜Ｈに基づいて当業者が容易に発明をすることができたものであるから、特許法第２９条第２項の規定により特許出願の際独立して特許を受けることができない。 
　　　　　　　 
（６）むすび 
　以上のとおり、本件補正は、平成１５年改正前特許法第１７条の２第５項において準用する特許法第１２６条第４項の規定に違反するものであり、特許法第１５９条第１項で読み替えて準用する特許法第５３条第１項の規定により却下されるべきものである。 
　　　　　　　　　　　　　　　　　　　　　　　　　
３．本願発明について
（１）本願発明 
　平成１４年９月９日付の手続補正は上記のとおり却下されたので、本願の請求項１に係る発明（以下、「本願発明」という。）は、平成１４年１月２９日付手続補正書の請求項１に記載された次のとおりのものである（以下、「本願発明」という。）。 
　　　　　　　　　　　　　　　　　　 　　　　　　　　　
「　盤面上のランプの点灯を行うため主基板を備え、複数種類のパチンコ機毎に異なる盤面機構部と、
　賞球の払い出しを行うための賞球基板を備え、複数種類のパチンコ機に共通な枠機構部と、
　遊技もしくは賞球の払い出しに関する内部情報を記憶することができる記憶手段とを備えるパチンコ機において、
　複数種類のパチンコ機に共通して使用可能な動作用電圧及びバックアップ電圧を供給するための電源基板を前記枠機構部側に設け、更に、
　前記動作用電圧が所定値以下に低下した場合に、前記記憶手段に前記バックアップ電圧を供給して、前記記憶手段に記憶されている前記内部情報を保存し、前記動作用電圧が所定値以上に復帰した場合、前記記憶手段に記憶されている内部情報を呼び出して、前記動作用電圧が所定値以下に低下する以前の状態に戻すことができる制御手段を備えたことを特徴とするパチンコ機。」 
　　　　　　　　 　　　　　　　　　　　　
（２）引用例 
　原査定の拒絶の理由に引用された引用例、および、その記載事項は、前記２．（２）に記載したとおりである。 
　　　　　　　　　　　　　　 　　　　　　　　
（３）対比・判断 
　本願発明は、前記２．で検討した本願補正発明から「前記記憶手段を配設した賞球基板のコネクタと、前記電源基板のコネクタとを、接続・離脱可能に構成し、電源基板のコネクタと賞球基板のコネクタとを離脱することにより、記憶手段に記憶されている内部情報を消去する」との構成を省いたものである。 
　そうすると、本願発明の構成要件を全て含み、さらに他の構成要件を付加したものに相当する本願補正発明が、前記２．に記載したとおり、引用例、及び、周知技術Ａ〜Ｈに基づいて、当業者が容易に発明をすることができたものであるから、本願発明も、同様の理由により、引用例、及び、周知技術Ａ〜Ｈに基づいて、当業者が容易に発明をすることができたものである。 
　　　　　　　　　　　 　　　　　　　　　　　　　　
（４）むすび 
　以上のとおり、本願発明は、引用例記載の発明、及び、周知技術Ａ〜Ｈに基づいて、当業者が容易に発明をすることができたものであるから、特許法第２９条第２項の規定により特許を受けることができない。 
　よって、結論のとおり審決する。